(57)【要約】【課題】複数の設定項目がある電子機器において、コントロールパネルの表示部のコスト・面積を削減する。またオペレータにとっての操作性を向上させる。【解決手段】各設定項目の内容を、単語・熟語・連語・文章等の文字列で表示可能な第一の表示手段と、該設定項目の切替え・選択・決定が可能な設定手段と、選択された項目の内容を表示するための、上記第一の表示手段とは異なる第二の表示手段と、電子機器の動作を開始する手段を有するコントロールパネルおよび電子機器。【選択図】　　　　　図１
2004050587.tif 000002
【特許請求の範囲】
【請求項１】
複数の設定する項目を有し、その設定された内容に応じた動作を行う電子機器において、
各設定項目の内容を、単語・熟語・連語・文章等の文字列で表示可能な第一の表示手段と、
該設定項目の切替え・選択（決定）が可能な設定手段と、
選択された項目の内容を表示するための、上記第一の表示手段とは異なる第二の表示手段と、
該電子機器の動作を開始する手段を有することを特徴とする電子機器のコントロールパネル。
【請求項２】
請求項１に記載のコントロールパネルにおいて、第一の表示手段と第二の表示手段の表示手段・方式が異なることを特徴とするコントロールパネル。
【請求項３】
請求項１に記載のコントロールパネルにおいて、第二の表示手段は、文字列の表示は不可能な表示手段であることを特徴とするコントロールパネル。
【請求項４】
請求項１に記載のコントロールパネルにおいて、第二の表示手段は、マーク・数字・アイコン等で表示可能な表示手段であることを特徴とするコントロールパネル。
【請求項５】
請求項１に記載のコントロールパネルにおいて、電子機器の設定すべき項目の選択された内容を第二の表示手段に表示した状態で、該電子機器の動作開始を選択可能であることを特徴とするコントロールパネル。
【請求項６】
請求項１に記載のコントロールパネルにおいて、第二の表示手段は、該電子機器の設定すべき項目の設定順序に応じて配置されていること特徴とするコントロールパネル。
【請求項７】
請求項１に記載のコントロールパネルにおいて、第一の表示手段の表示内容は、該表示内容を選択手段により決定し、その内容を第二の表示手段に表示した時点で切り替わることを特徴とするコントロールパネル。
【請求項８】
複数の設定する項目を有し、その設定された内容に応じた動作を行う電子機器において、
各設定項目の内容を、単語・熟語・連語・文章等の文字列で表示可能な第一の表示手段と、
該設定項目の切替え・選択（決定）が可能な設定手段と、
選択された項目の内容を表示するための、上記第一の表示手段とは異なる第二の表示手段と、
該電子機器の動作を開始する手段を有するコントロールパネルを有することを特徴とする電子機器。
【請求項９】
請求項８に記載の電子機器において、本電子機器はコンピュータ等の周辺機器であることを特徴とする電子機器。
【発明の詳細な説明】
【０００１】
【発明の属する技術分野】
本発明は、複数の設定する項目を有し、その設定された内容に応じた動作を行う電子機器に関するものである。
【０００２】
【従来の技術】
電子機器として、例えばコンピュータ装置等の端末機器として用いられるプリンタ装置を考えた場合、印字媒体の種類・サイズや印字の解像度設定、印字枚数等、その装置の動作に関連する設定項目が複数存在する。
【０００３】
ただ、通常その電子機器がオフィスコンピュータやパーソナルコンピュータ等（以下ＰＣと呼ぶ）の周辺機器として使用される場合は、それらのコンピュータの画面上で各種の設定が可能であるため、特に電子機器自体には複雑な設定が可能なコントロールパネルは必要ではなかった。
【０００４】
しかし、機器自体の位置付けは周辺機器であっても、ＰＣ等からの操作ではなく、機器自体の操作パネルでの設定が必要な電子機器も存在する。たとえば、デジタルカメラ等の画像をＰＣを介さずに直接印刷可能なプリンタ等である。
【０００５】
このようなプリンタは、一般的に操作が複雑といわれているＰＣを使用しなくても印字可能であることを長所としており、設定項目が多くても、できるだけ簡単な操作が好ましい。
【０００６】
また、ＰＣの周辺機器に限らず、デジタルカメラ等の画像等を印字可能な画像出力機能を有する装置や、他の電子機器においても、その設定項目が多い電子機器においては、操作性の良好なコントロールパネルが必要である。
【０００７】
【発明が解決しようとする課題】
設定項目が多い電子機器においては、その選択手段であるスイッチ等や、その表示手段であるＬＣＤ、ＬＥＤ等が多く、あるいは大きくなりコントロールパネル部が複雑になったり操作・表示部の面積が大きくなってしまうという欠点があった。
【０００８】
また、表示手段として、表示可能文字数が多いＬＣＤを搭載すると、装置のコストが高くなってしまうという欠点もある。
【０００９】
例えば、特開平０７−１９５７５６には、ツリー形状の画像を表示する表示手段を有する画像記録装置が提案されており、その装置の設定はオペレータにわかり易いが、表示手段はかなり大きなものとなり、コストも高くなる場合が多い。
【００１０】
また、特許番号第０２８９２６４７号には、複数の設定項目に関するデータを階層的に記憶する手段と、その記憶した内容のうち単一データを表示する手段を有し、表示手段に表示する内容を切り替える電子機器が提案されている。この方法であれば、表示手段の面積は小さく、かつコストも押さえることが可能であるが、設定して決定したデータを確認するために、キー操作等が必要であり、また複数の設定項目を設定し、本電子機器の動作をスタートさせるときに、すべての設定項目を同時に目視等で確認することが不可能である。
【００１１】
このように、複数の設定項目があるのに対し、それらの表示手段を小さく設計すると、設定したすべての設定を確認できなかったり、表示機能が階層構造となり、すべての設定を確認するためにはキー操作等でスクロール表示させる等、操作が複雑になるという欠点があった。
【００１２】
【課題を解決するための手段】
本出願は、上記問題点を解消するためになされたものであり、
請求項１の発明では、設定項目の詳細を表示可能なＬＣＤ等の文字列が表示可能な第一の表示手段と、その表示した内容を切替可能な選択手段と、その選択手段により決定した内容を表示可能な第二の表示手段を有し、項目設定時は、第一の表示手段のガイダンス等によって設定項目を選択し、決定した内容は第二の表示手段に列挙可能にしたものである。
【００１３】
請求項２の発明は、請求項１の従属クレームであり、第一の表示手段と第二の表示手段の表示装置・表示方式が異なることを特徴とするものである。
【００１４】
請求項３の発明は、請求項１の従属クレームであり、第二の表示手段は第一の表示手段と異なり、文字列の表示は不可能であることを特徴とするものである。
【００１５】
請求項４の発明は、請求項１の従属クレームであり、設定された項目を表示する第二の表示手段は、マーク・数字・アイコン等で表示可能にすることで、表示を簡潔にしたり、コントロールパネルに対する表示部が占める面積を小さくすることを可能にするものである。
【００１６】
請求項５の発明は、請求項１の従属クレームであり、設定された項目を第二の表示手段に列挙した状態で、本電子機器の動作をスタート可能にしたものである。
【００１７】
請求項６の発明は、請求項１の従属クレームであり、複数の設定項目を例えば第一の表示手段のガイダンスに従って設定していく場合、その設定した順序で設定項目を第二の表示手段に表示可能とするものである。
【００１８】
請求項７の発明は、請求項１の従属クレームであり、第一の表示手段は複数ある設定項目を順次切り替えて表示していくものであるが、これは、選択した項目を第二の表示手段に表示したタイミングで第一の表示内容を、例えば次の選択項目等に切り替えることを特徴とするものである。
【００１９】
請求項８の発明は、設定項目の詳細を表示可能なＬＣＤ等の文字列が表示可能な第一の表示手段と、その表示した内容を切替可能な選択手段と、その選択手段により決定した内容を表示可能な第二の表示手段、及び本装置の動作をスタートさせる手段で構成されるコントロールパネルを有する電子機器であり、設定された項目を第二の表示手段に表示した状態で、本装置の動作スタートを可能にするものである。
【００２０】
請求項９の発明は、請求項８に記載の電子機器が、コンピュータに接続可能な周辺装置であることを特徴とするものである。
【００２１】
【発明の実施の形態】
（実施例）
図１は、本発明を実施する電子機器の一例としてのインクジェットプリンタのブロック図である。
【００２２】
１００は、このプリンタの主制御部であり、１０１のＣＰＵ、１０２のＡＳＩＣ、１０３のＲＯＭ，１０４のＲＡＭで構成される。
【００２３】
１０１のＣＰＵは、１０３のＲＯＭに格納された制御プログラムに従って本プリンタの制御を行う。
【００２４】
１０２のＡＳＩＣは、ゲートアレイ等集積回路で構成されるカスタムＩＣで、本装置においては、印字データの加工生成や画像処理、モータ・ヘッド等の駆動信号の出力や、センサ信号の入力等、ＩＯポート等の機能を有する。
【００２５】
１０４のＲＡＭは、ＤＲＡＭ，ＳＲＡＭ、ＳＤＲＡＭ等で構成されるメモリで、１０５のＩ／Ｆ部より入力される画像データ（コマンド）等の一時格納や、ゲートアレイが画像処理をするとき用いるメモリ、また、記録ヘッドへ転送する画像データを格納しておく画像メモリとして用いられる。また、場合によっては、１０１のＣＰＵともバスを介して接続され、ＣＰＵが制御を行う時のワークエリアとして用いられる。さらに、ＥＥＲＯＭ，不揮発性ＲＡＭ等、本体の電源がＯＦＦになってもメモリの内容が消去されないメモリを有する場合もあり、本体固有の情報等を格納可能なものがさらに付加される場合もある。
【００２６】
１０５は、通常ホストＰＣから記録信号（データ、コマンド）を入力、またはホストＰＣ等へ出力するＩ／Ｆ部である。ネットワークに直接接続可能な場合は、ネットワークに対して記録信号の入出力を行う。プリンタの場合、ＩＥＥＥ１２８４やＵＳＢ等の規格に準拠した信号・コネクタ・バッファ等で構成され、通常Ｉ／Ｆの制御回路は１０２のＡＳＩＣ内に構成される。
【００２７】
１０６はヘッドドライバで、１０７の記録ヘッドの駆動を行う。印字電源のｏｎ／ｏｆｆ、印字データの転送・ラッチ、ヒートイネーブルの送出や温度制御等、１０７の記録ヘッドの駆動制御を行う回路は１００の主制御部に構成される。１０８は、記録材センサで、ここでは、インクジェットプリンタであるので、インク有無や残量、また、インクタンクやヘッド、カートリッジの有無を、反射型フォトセンサ等で検知するものである。
【００２８】
１１０は、記録媒体である記録紙を搬送するための搬送モータであり、１０９がこのモータを駆動するモータドライバである。１１０のモータは通常ステッピングモータまたはＤＣモータで構成される。
【００２９】
１１１は、記録紙センサで、フォトインタラプタ、または、フォトセンサ等で構成され、記録媒体である記録紙の印字開始位置や印字終了位置の検知や、記録紙の搬送不良等のエラーを検知するものである。
【００３０】
１１３は、記録ヘッドを搬送するためのモータで、ステッピングモータまたはＤＣモータで構成される場合が多い。１１２は、このキャリアモータを駆動するためのモータドライバであり、１１４は、このキャリアモータで搬送される記録ヘッドの位置を監視するためのセンサである。１１４は、１１２のキャリアモータがステッピングモータである場合は、フォトセンサ等で構成され、実際のヘッド位置が、移動させようとした位置にあるかどうかの判断を行い、移動させようとした位置にない場合はエラーを制御部に送出するセンサであり、特にヘッドおよびキャリアの位置がホームポジションにあるかどうかを確認する場合等に用いられる。また、１１２のモータがＤＣモータである場合は、エンコーダ等で構成され常に記録ヘッドの位置を確認するための手段が付加され、場合によっては上記フォトセンサと併用して構成される。
【００３１】
１１５は、本プリンタのコントロールパネル部であり、ＬＥＤ，ＬＣＤ，キースイッチ等で構成される。
【００３２】
図２は本発明を実施するプリンタ装置のコントロールパネルのモデルである。２００がコントロールパネルユニットであり、２０１が文字列等を表示可能なＬＣＤである。通常、事務機器等では、１６桁１行から２０桁２行くらいのＬＣＤが用いられる。アルファベットやカタカナ、数字等をならべることにより、単語・熟語・連語・文章等の文字列が表示可能な表示手段である。
【００３３】
２０２はアルファベットが表示可能なセグメントタイプのＬＥＤである。これは、１文字のアルファベットが表示可能であれば、ドットマトリクスの表示手段でもよいし、ＬＣＤでも構わない。ここは、プリンタ装置の記録媒体である記録紙の種類を表示する場所であるが、例えば２０１にしめすＬＣＤに
“Ａ：普通紙　Ｂ：コート紙”
のように、各アルファベット１文字に記録紙の種類を対応させて表示し、紙の種類を選択した時点で２０２の表示部には、そのアルファベットのみを表示するようにする。
【００３４】
２０３は２０２と同様にセグメントタイプ、またはドットマトリクスタイプのＬＥＤ，ＬＣＤ等で構成される。本プリンタがデジタルカメラ等で撮影された写真等を１枚の記録紙に複数枚印刷可能であり、その枚数やレイアウトを指定可能である場合のレイアウトあるいは枚数を表示する表示手段である。例えばレイアウトを表示する場合は、２０３の表示手段の四角を２分割、４分割、８分割等に区切った表示が可能なようにセグメントを配置しておき、１枚の記録紙の上下に２枚の写真を印刷するときは、２０３の四角を上下に２分割する表示、１枚の記録紙に上下左右に４枚の写真を印刷するようにオペレータが選択した時は、２０３の四角を４分割にする表示をおこなう。また、単純に数字により分割数をしめすだけでも構わない。
【００３５】
２０４はＬＥＤであり、コントロールパネル上に印刷された文字“はやい”と“きれい”に対応して２つ並べられている。ここでは、プリンタでの印刷モードがスピード優先で印刷速度が速いモードを選択した場合は“はやい”に対応したＬＥＤが点灯し、プリンタの印刷モードとして画質優先のモードを選択した場合は“きれい”に対応したＬＥＤが点灯するものとする。ここでは２つのモードからの選択としたが、もちろん“超きれい”とか“ふつう”等３つ以上のモードからの選択の場合もある。また、ＬＥＤに限らず、数文字の液晶や、アイコンによる表示が可能なＬＣＤも考えられる。
【００３６】
２０５は、数字２文字を表示可能な表示手段であり、本プリンタで印刷する枚数を設定する。
【００３７】
２０６は、２０１の文字列表示可能なＬＣＤに各設定項目や設定内容を表示させるためのキースイッチである。本プリンタでは設定項目として、記録紙種類、レイアウト、印刷モード、印刷枚数の４種類であるとすると、上下のカーソルキーにてこの４種類をサイクリックに選択するものとする。まず最初に記録紙種類を選択する場合、ＬＣＤには例えばカタカナで左端に“キロクシ”と表示され、その右側には記録紙のディフォルトであるＡ４普通紙が“Ａ４フツウシ”と表示されているものとする。ここで記録紙種類の選択は２０６の左右のカーソルにより選択するものとする。たとえば、Ａ４コート紙、はがき普通紙、はがきコート紙等が左右のカーソルで選択可能とする。
【００３８】
２０７は２０６のカーソルキーで選択表示された内容を決定する場合に用いるキースイッチである。
【００３９】
また２０７は特にキーとして持たなくてもジョグダイヤル等で２０６と２０７の機能を兼ね備えることも考えられるし、２０６の選択手段で最後に表示された内容や、スタートキーが押下された時点で表示されている表示された内容が自動的に選択されてもかまわない。
【００４０】
これらの２０６や２０７の手段で決定した内容が、２０２〜２０５の表示手段に表示される。本発明では、２０１の文字列表示可能な表示手段を第一の表示手段と呼び、選択項目決定内容を表示する２０２〜２０５の表示部を第二の表示手段と呼ぶ。第二の表示手段には、選択され、決定された内容を表示するだけではなく、装置のディフォルトを表示する場合も考えられる。
【００４１】
２０８は本プリンタの印刷開始キーであり、すべての設定項目を決定後に１０８の印刷開始キーを押下することで、印刷動作を開始する。
【００４２】
２０９は本プリンタの印刷中止キーであり、このキーは特に装置にかならず必要というものではない。
【００４３】
図３のフローを用いて本発明の実施例であるプリンタのコントロールパネル動作を説明する。
【００４４】
プリンタ装置の電源ＯＮによりＳ３０１でコントロールパネルの表示部にディフォルトの設定内容を表示する。Ｓ３０２で、この設定状態でプリンタ動作のスタートキーが押下されたかどうかの判断をおこなう。スタートキーが押下された場合は、Ｓ３０３で、その設定内容に応じてプリント動作を開始する。Ｓ３０４でストップキーが押下されたかどうかの判断をおこない、ストップキーが押下された場合はＳ３０６で装置の動作を終了させる。ストップキーが押下されていない場合は、オペレータがセットした一連のプリント動作が終了したかどうかをＳ３０５で判断し、終了でなければプリント動作を続行し、終了であればＳ３０６で装置の動作終了となる。このストップキーは必ずしもすべてのプリンタ装置が有しているものではない。Ｓ３０２でスタートキーが押下されなかった場合は、Ｓ３０７で設定項目選択のためのカーソルキーが押下されたかどうかの判断を行う。ここで、カーソルキーが押下されていなければＳ３０２に戻る。カーソルキーが押下された場合は、Ｓ３０８でその押下された回数等に応じた表示を行う。設定項目選択時は、文字列等の表示が可能なＬＣＤ等にその設定内容を表示する。Ｓ３０９で決定キーが押下された場合は、その決定内容を第二の表示手段部に表示する。Ｓ３０９で決定キーが押下されずにさらにカーソルキーが押下された場合は、第一の表示手段に次の設定内容が表示される。
【００４５】
このカーソルキーと決定キーにより、オペレータは所望の設定が可能となり、また最終的に設定された内容は第二の表示手段に表示された状態となる。Ｓ３０９で決定キーが押下され、Ｓ３１０でその決定内容を表示した後、Ｓ３０２にもどり、プリンタ装置のスタートキーの押下を確認する。ここでスタートキーが押下されれば、そこまでに設定された内容で印刷をおこなう。また押下されていなければＳ３０７から繰り返すことにより、項目設定をおこなう。
【００４６】
オペレータが設定した一連のプリント動作が終了した時点で、Ｓ３０６からＳ３０１に戻り、コントロールパネルの表示部に装置側であらかじめ決められたディフォルトの設定に戻る場合と、その時点でのオペレータ設定を保存して、Ｓ３０２のスタートキー押下の判断に移行する場合の両方が考えられる。これは、このプリンタの使用状況等に応じてどちらでも構わない。
【００４７】
図４のフローを用いて本発明の第二の実施例であるプリンタ装置のコントロールパネルの設定手順を説明する。本実施例は、第一の表示手段にて設定項目を選択し、決定キー押下の他に、次の設定項目表示に移行した場合および、スタートキーが押下された場合にその内容を決定するものである。また、設定内容の選択中すなわち決定前は、第二の表示手段に現在選択中の内容を点滅させて表示するものである。
【００４８】
Ｓ４０１でプリンタ装置のスタートキーが押下されたかどうかの判断をおこなう。これは前実施例の図３のＳ３０２と同様の判断であり、Ｓ４０１以前のステップは図３に示す
Ｓ３０２以前のステップと同じである。スタートキーが押下されていなければ、Ｓ４０２で項目選択カーソルキーが押下されたかどうかの判断をおこなう。ＮｏであればＳ４０１の判断に戻る。Ｓ４０２でカーソルキーが押下されている場合はＳ４０３で上下方向のカーソルキーか左右方向のカーソルキーかの判断をおこなう。ここで、上下のカーソルキーは、本プリンタの設定項目、例えば記録紙の種類、印刷モード、印刷枚数等の各項目を選択する場合に、その表示内容を切り替えるために用いる。これに対し、左右のカーソルキーは、その各設定項目の下の階層である、例えば記録紙の種類であれば、Ａ４普通紙、はがき普通紙、Ａ４コート紙等の設定項目毎の設定内容を選択するために、その内容表示を切り替える場合に使用する。第一の表示手段には、上下のカーソルキーでスクロールする設定項目と、左右のカーソルキーでスクロールする設定内容が並べて表示されている。
【００４９】
Ｓ４０３の判断で上下方向のカーソルキーが押下された場合は、Ｓ４０５において、その時点で第一の表示手段に表示されている内容を決定して、第二の表示手段にその決定内容の表示をおこなう。これは、第二の表示内容が決定して点灯している場合も選択中で点滅している場合も同様に、Ｓ４０３の上下カーソルキー押下にて、その時点での設定項目内容は決定と判断するものである。続いて第一の表示手段にカーソルキーの押下に応じた設定項目を表示する。上のカーソルの場合は、１つ前の設定項目、下のカーソルの場合は次の設定項目である。第一の表示手段には、同時にその設定項目内の設定内容が表示される。さらに第二の表示手段では第一の表示手段に表示されている設定内容が点滅して表示される。
【００５０】
ここでＳ４０６にて決定キーが押下された場合は、Ｓ４０５で点滅していた内容が決定となり、Ｓ４０７で第二の表示手段で点滅している内容は点灯に変わる。Ｓ４０６で決定キーが押下されなかった場合はＳ４０２でカーソルキー押下の判断に戻り、Ｓ４０３の判断で左右のカーソルキーが押下された場合は、Ｓ４０４にて第一表示手段の表示内容を変更し、その表示内容を第二表示手段にて点滅する。Ｓ４０３の判断で左のカーソルの場合は１つ前の設定内容、右のカーソルの場合は次の設定内容を第一の表示手段に表示する。
【００５１】
以後同様に、第二表示手段に点滅している内容は、決定キーが押下された場合、または上下のカーソルが押下されて、設定すべき項目を切り替えた場合に点滅から点灯に切り替わる。また点滅中にスタートキーが押下された場合もＳ４０１の判断でＳ４０８に進み、第二表示手段で点滅していた場合は点灯に切り替わり、その設定内容が決定してＳ４０９でその設定された内容でプリント動作をおこなう。Ｓ４０９のプリント動作以降のステップも図３のＳ３０３からＳ３０６のステップと同様なので説明を省略する。
【００５２】
本実施例ではプリンタ装置を例として説明したが、本発明はプリンタ装置に限らず、複数の設定項目を有する電子機器に共通して有効である。
【００５３】
また本実施例では、設定項目として４種類、設定の階層は２であるプリンタを例としたが、これも設定項目数、設定内容数、設定すべき内容の階層数は任意である。
【００５４】
また、設定した内容を表示する手段として第二の表示手段という言葉で説明したが、これはかならずしも１つのＬＣＤ等の表示手段を示すものではなく、複数のＬＥＤ，ＬＣＤ等で構成される表示部を示すものであり、要は設定結果を表示する表示部をしめすものである。
【００５５】
【発明の効果】
以上説明したように、請求項１に記載の発明によれば複数の設定項目を有する電子機器において、その設定項目や設定内容、場合によってはそれらのガイダンス等を表示可能な文字列が表示可能な表示手段と、その設定した結果を表示する第二の表示手段を有することにより、オペレータが設定項目を選択しやすく、かつ設定結果が容易に判別可能な電子機器を提供できる。
【００５６】
請求項２，３，４、に記載の発明によれば、第一の表示手段に対し、第二の表示手段は簡略化が可能であり、表示部に要するコストの削減や、表示部に要する装置面積の削減が可能となる。
【００５７】
請求項５に記載の発明によれば、オペレータはすべての設定結果を確認したうえで装置の動作をスタートさせることが可能であり、操作性のよい電子機器を提供できる。
【００５８】
請求項６に記載の発明においても、第一の表示手段と第二の表示手段を連動させることでオペレータにとっての操作性を高めている。
【００５９】
請求項７の発明では、選択した内容の設定をおこなうためのキー等の手段を、わざわざ設ける必要がなく、操作時間の短縮や装置のコスト削減、コントロールパネル部の面積削減に効果がある。
【００６０】
請求項８，９では、上記利点を有するコントロールパネルを装着した電子機器、また、その電子機器は特にコンピュータ装置の周辺機器で効果があることを特徴とするものである。
【図面の簡単な説明】
【図１】図１は、本発明を実施する電子機器の一例としてのインクジェットプリンタのブロック図である。
【図２】図２は本発明を実施するプリンタ装置のコントロールパネルのモデル図である。
【図３】図３は本発明の第一の実施例を示すコントロールパネルの項目設定の手順を示すフローである。
【図４】図４は本発明の第二の実施例を示すコントロールパネルの項目設定の手順を示すフローである。
【符号の説明】
１００　本発明を実施するプリンタの主制御部
１０１　ＣＰＵ
１０２　ゲートアレイ
１０３　ＲＯＭ
１０４　ＲＡＭ
１０５　インターフェース
１０６　ヘッドドライバ
１０７　記録ヘッド
１０８　記録材センサ
１０９　モータドライバ
１１０　搬送モータ
１１１　記録紙センサ
１１２　モータドライバ
１１３　キャリアモータ
１１４　記録位置センサ
１１５　操作・表示部
２０１　ＬＣＤ等で構成される第一の表示手段
２０２　第二の表示手段を構成する文字または記号等を表示する手段
２０３　第二の表示手段を構成する数字なたはマーク等を表示する手段
２０４　第二の表示手段を構成するＬＥＤ等の表示手段
２０５　第二の表示手段を構成する数字等を表示する手段
２０６　キースイッチ等で構成される設定項目・内容等を選択する手段
２０７　表示されている内容等を決定するための選択手段
２０８　装置の動作開始をおこなうキースイッチ
２０９　装置の動作中止を指示するキースイッチ
【図１】
2004050587.tif 000003
【図２】
2004050587.tif 000004
【図３】
2004050587.tif 000005
【図４】
2004050587.tif 000006